(57)【特許請求の範囲】
【請求項１】
カーボン素材からなる釣竿本体を備え、前記釣竿本体の基端から先端にかけて中空が設けられいるとともに、前記中空は、前記釣竿本体の長手方向の中心軸に対して偏芯しており、かつ前期釣竿本体の断面が多角形状となっていることを特徴とする断面多角形中空釣竿。
【請求項２】
前記断面は、四角形状であることを特徴とする請求項１に記載の断面多角形中空釣竿。
【請求項３】
前記断面は、六角形状であることを特徴とする請求項１に記載の断面多角形中空釣竿。
【請求項４】
前記釣竿本体は、一端に継ぎ部を有する複数の竿部からなり、それぞれの継ぎ部は継ぎ足される前記竿部の多角形状に合わせて加工された振出しによる継ぎ方とされていることを特徴とする請求項１〜３の何れかに記載の断面多角形中空釣竿。
【請求項５】
前記釣竿本体は、一端に継ぎ部を有する複数の竿部からなり、それぞれの継ぎ部は継ぎ足される前記竿部の多角形状に合わせて加工されているとともに、それぞれの継ぎ部の所定の深部にストッパーが設けられた並み継ぎによる継ぎ方とされていることを特徴とする請求項１〜３の何れかに記載の断面多角形中空釣竿。
【発明の詳細な説明】
【０００１】
【発明の属する技術分野】
本発明は、断面が多角形で中空を持つ棒状体の断面多角形中空釣竿に関する。
【０００２】
【従来の技術】
釣愛好家のために、釣具店には釣竿一つ取上げても釣人の好みに応じて沢山の種類の釣竿が用意されている。その種類の中には、かなり高価な竹竿で手工芸のような使いこなす上で慎重を要するものから、最近では全般的に調子が安定していて使いやすく、丈夫で比較的安価で入手できるカーボン製の釣竿等があり、ありとあらゆる釣竿の入手が可能である。
【０００３】
ちなみに、カーボン製の釣竿の場合、先細りの芯金に所定幅のカーボンを巻付け、エポキシ樹脂でそのカーボンを硬化させた後に芯金を抜き、外表面に発生している段差を丁寧に研磨して凹凸を無くし、きれいに仕上げ、塗装を施すようにしている。これにより、軽量で十分な弾発力を持った円形中空断面構造の釣竿が制作される。
【０００４】
【発明が解決しようとする課題】
ところで、上述した円形中空断面構造の釣竿は、キャスティングをしても分るように、外部の力により、上下左右に意識にかかわらず容易に曲るという特性を持っている。そのため、たとえば釣竿のしなりとテグスの重さを利用するフライフィッシングにおいては釣針が目的の場所に真っ直ぐに飛んでくれないという致命的な状態になったり、弾発性が全般にありすぎるため、魚を引上げようとしたときに魚の動きに釣竿が追随できず、釣針が外れてしまったり、テグスの切断が生じたりする等の不測の事態を招くおそれがあり、釣味を損うことになる。
【０００５】
また、釣味を楽しみ魚を生きたまま元に戻すスポーツフイッシングと呼ばれる魚釣では、最小限、魚をキズつけないように、先端に返しが無い釣針を用いている。その場合にも上記同様に、魚の動きに追随できず、バラシが多くなるため、釣味を損うことになる。このような釣味は、何れも釣竿の操作性の低下によって損われるものと考えられる。
【０００６】
また、円形中空断面構造の釣竿は、曲げ荷重の増減に対して一定の調子で曲るため、釣愛好家は調子の違う釣竿を何本か所有する必要があり、持運びや保管に不便を感じることがある。
【０００７】
本発明は、このような状況に鑑みてなされたものであり、操作性を高めることができるとともに、持運びや保管の不便さを解消することができる断面多角形中空釣竿を提供することができるようにするものである。
【０００８】
【課題を解決するための手段】
本発明の断面多角形中空釣竿は、カーボン素材からなる釣竿本体を備え、釣竿本体の基端から先端にかけて中空が設けられているとともに、釣竿本体の断面が多角形状となっていることを特徴とする。
また、断面は、四角形状であるようにすることができる。
また、断面は、六角形状であるようにすることができる。
また、中空は、釣竿本体の長手方向の中心軸に対して偏芯しているようにすることができる。
また、釣竿本体は、一端に継ぎ部を有する複数の竿部からなり、それぞれの継ぎ部は継ぎ足される竿部の多角形状に合わせて加工された振出しによる継ぎ方とされているようにすることができる。
また、釣竿本体は、一端に継ぎ部を有する複数の竿部からなり、それぞれの継ぎ部は継ぎ足される竿部の多角形状に合わせて加工されているとともに、それぞれの継ぎ部の所定の深部にストッパーが設けられた並み継ぎによる継ぎ方とされているようにすることができる。
本発明に係る断面多角形中空釣竿においては、カーボン素材からなる釣竿本体の基端から先端にかけて中空を設けるとともに、釣竿本体の断面を多角形状となるようにする。
【０００９】
【発明の実施の形態】
以下、本発明の実施の形態について説明する。
【００１０】
（第１の実施の形態）
図１は、本発明の断面多角形中空釣竿の第１の実施の形態を示す図、図２は、図１の断面多角形中空釣竿の作用を説明するための図である。
【００１１】
図１に示す断面多角形中空釣竿は、中空２を有するカーボン素材からなる釣竿本体１を備えている。中空２は、釣竿本体１の基端から先端にかけて設けられている。このように、釣竿本体１が中空２を有するとともに、カーボン素材からなることで、軽量化が図れ、さらには必要かつ十分な弾発力が得られるようになっている。釣竿本体１は、断面六角形状であり、しかも先細り形状となっている。釣竿本体１は、先細りの芯金に所定幅のカーボンを巻付け、そのカーボンをエポキシ樹脂で硬化させた後、芯金を抜き、外表面を六角形に研磨することで制作される。
【００１２】
このような断面多角形中空釣竿は、次のような作用を有している。
【００１３】
つまり、図２（ａ）に示すように、釣竿本体１の平面部１ａが上下に位置するようにして用いた場合、釣竿本体１に対し上下に加わる力は平面部１ａと中空２との肉厚の薄い部分で受けられる。これに対し、図２（ｂ）に示すように、釣竿本体１の角部１ｂが上下に位置するようにして用いた場合、釣竿本体１に対し上下に加わる力は角部１ｂと中空２との肉厚の厚い部分で受けられる。
【００１４】
よって、釣竿本体１の調子を変える場合には、図２（ａ）又は図２（ｂ）に示すように、釣竿本体１の平面部１ａが上下に位置するようにするか又は釣竿本体１の角部１ｂが上下に位置するようにすればよい。また、釣竿本体１は、断面六角形状であるため、釣竿本体１を３０度程度回転させることで、その調子が変えられる。また、釣竿本体１におけるねじれに対しては、断面六角の形状によりその剛性が高められる。
【００１５】
このように、第１の実施の形態では、釣竿本体１を中空２を有する断面六角形状としたので、軽量であるにもかかわらず、釣竿本体１のねじれ剛性が高められ、釣竿本体１の不要な振動が抑えられるので、操作性を高めることができる。また、釣竿本体１の不要な振動が抑えられるので、釣針を目的の場所に容易にキャスティングすることができ、特にフライフィッシングのように腕を前後に真っ直ぐ振り、腕の力を無駄なく釣竿本体１に伝える際に有効である。また、釣竿本体１の不要な振動が抑えられるので、魚を引上げようとしたときに、魚の動きに対する追随が容易となり、釣針が外れてしまったり、テグスの切断が生じたりする等の不測の事態を避けることができる。
【００１６】
また、釣竿本体１を断面六角形状としたので、図２（ａ），（ｂ）に示したように、釣竿本体１を３０度程度回転させることで、その調子を変えることができることから、釣愛好家は調子の違う釣竿を必要最小限だけ所有すればよく、持運びや保管を容易に行うことができる。
【００１７】
（第２の実施の形態）
図３は、本発明の断面多角形中空釣竿の第２の実施の形態を示す図、図４は、図３の断面多角形中空釣竿の作用を説明するための図である。なお、以下に説明する図において、図１及び図２と共通する部分には同一符号を付すものとする。
【００１８】
図３に示す断面多角形中空釣竿の釣竿本体１は、上記同様に、中空２を有し、カーボン素材からなり、しかも先細り形状となっているものであるが、その断面は四角形状となっている。このような釣竿本体１は、上記同様に、先細りの芯金に所定幅のカーボンを巻付け、そのカーボンをエポキシ樹脂で硬化させた後、芯金を抜き、外表面を四角形に研磨することで制作される。
【００１９】
このような断面多角形中空釣竿は、次のような作用を有している。
【００２０】
つまり、図４（ａ）に示すように、釣竿本体１の平面部１ａが上下に位置するようにして用いた場合、釣竿本体１に対し上下に加わる力は平面部１ａと中空２との肉厚の薄い部分で受けられる。これに対し、図４（ｂ）に示すように、釣竿本体１の角部１ｂが上下に位置するようにして用いた場合、釣竿本体１に対し上下に加わる力は角部１ｂと中空２との肉厚の厚い部分で受けられる。
【００２１】
よって、釣竿本体１の調子を変える場合には、図４（ａ）又は図４（ｂ）に示すように、釣竿本体１の平面部１ａが上下に位置するようにするか又は釣竿本体１の角部１ｂが上下に位置するようにすればよい。また、釣竿本体１は、断面四角形状であるため、釣竿本体１を４５度程度回転させることで、その調子が変えられる。また、釣竿本体１におけるねじれに対しては、断面四角の形状によりその剛性が高められる。
【００２２】
このように、第２の実施の形態では、釣竿本体１を中空２を有する断面四角形状としたので、軽量であるにもかかわらず、釣竿本体１のねじれ剛性が高められ、釣竿本体１の不要な振動が抑えられるので、操作性を高めることができることから、上記同様の効果を奏する。
【００２３】
また、釣竿本体１を断面四角形状としたので、図４（ａ），（ｂ）に示したように、釣竿本体１を４５度程度回転させることで、その調子を変えることができることから、上記同様に、釣愛好家は調子の違う釣竿を必要最小限だけ所有すればよく、持運びや保管を容易に行うことができる。
【００２４】
（第３の実施の形態）
図５は、本発明の断面多角形中空釣竿の第３の実施の形態を示す図、図６は、図５の断面多角形中空釣竿の作用を説明するための図である。
【００２５】
図５に示す断面多角形中空釣竿の釣竿本体１は、上記同様に、中空２を有し、カーボン素材からなり、しかも先細り形状となっているものであるが、その断面は八角形状となっている。このような釣竿本体１は、上記同様に、先細りの芯金に所定幅のカーボンを巻付け、そのカーボンをエポキシ樹脂で硬化させた後、芯金を抜き、外表面を八角形に研磨することで制作される。
【００２６】
このような断面多角形中空釣竿は、次のような作用を有している。
【００２７】
つまり、図６（ａ）に示すように、釣竿本体１の平面部１ａが上下に位置するようにして用いた場合、釣竿本体１に対し上下に加わる力は平面部１ａと中空２との肉厚の薄い部分で受けられる。これに対し、図６（ｂ）に示すように、釣竿本体１の角部１ｂが上下に位置するようにして用いた場合、釣竿本体１に対し上下に加わる力は角部１ｂと中空２との肉厚の厚い部分で受けられる。
【００２８】
よって、釣竿本体１の調子を変える場合には、図６（ａ）又は図６（ｂ）に示すように、釣竿本体１の平面部１ａが上下に位置するようにするか又は釣竿本体１の角部１ｂが上下に位置するようにすればよい。また、釣竿本体１は、断面八角形状であるため、釣竿本体１を２０度程度回転させることで、その調子が変えられる。また、釣竿本体１におけるねじれに対しては、断面八角の形状によりその剛性が高められる。
【００２９】
このように、第３の実施の形態では、釣竿本体１を中空２を有する断面八角形状としたので、軽量であるにもかかわらず、釣竿本体１のねじれ剛性が高められ、釣竿本体１の不要な振動が抑えられるので、操作性を高めることができることから、上記同様の効果を奏する。
【００３０】
また、釣竿本体１を断面八角形状としたので、図６（ａ），（ｂ）に示したように、釣竿本体１を２０度程度回転させることで、その調子を変えることができることから、上記同様に、釣愛好家は調子の違う釣竿を必要最小限だけ所有すればよく、持運びや保管を容易に行うことができる。
【００３１】
（第４の実施の形態）
図７は、本発明の断面多角形中空釣竿の第４の実施の形態を示す図である。
【００３２】
図７（ａ）〜（ｃ）に示す断面多角形中空釣竿の釣竿本体１は、図１と同様に断面六角形状となっているが、その中空２を偏芯させるようにしている。このような釣竿本体１は、たとえば先細りの芯金に所定幅のカーボンを厚めに巻付け、そのカーボンをエポキシ樹脂で硬化させた後、芯金を抜き、外表面を六角形に研磨する。その際、中空２を偏芯させるように、釣竿本体１の外表面を研磨するようにする。
【００３３】
このような断面多角形中空釣竿は、次のような作用を有している。
【００３４】
つまり、図７（ａ）に示すように釣竿本体１の平面部１ａが上下に位置するようにして用いる場合と、図７（ａ）の状態から時計回りに３０度程度回転させて図７（ｂ）に示すように釣竿本体１の角部１ｂが上下に位置するようにして用いる場合と、図７（ｂ）の状態からさらに時計回りに３０度程度回転させて図７（ｃ）に示すように釣竿本体１の平面部１ａが上下に位置するようにして用いる場合とで、上述した理由からその調子が３通りに変えられる。
【００３５】
このように、第４の実施の形態では、上述した効果に加え、さらに調子を３通りに変えることができるとした効果がある。
【００３６】
（第５の実施の形態）
図８は、本発明の断面多角形中空釣竿の第５の実施の形態を示す図である。
【００３７】
図８（ａ）〜（ｃ）に示す断面多角形中空釣竿の釣竿本体１は、図３と同様に断面四角形状となっているが、その中空２を釣竿本体１の長手方向の中心軸に対して偏芯させるようにしている。このような釣竿本体１は、上記同様に、外表面を四角形に研磨する際、中空２を偏芯させるように、釣竿本体１の外表面を研磨するようにする。
【００３８】
このような断面多角形中空釣竿は、次のような作用を有している。
【００３９】
つまり、図８（ａ）に示すように釣竿本体１の平面部１ａが上下に位置するようにして用いる場合と、図８（ａ）の状態から時計回りに４５度程度回転させて図８（ｂ）に示すように釣竿本体１の角部１ｂが上下に位置するようにして用いる場合と、図８（ｂ）の状態からさらに時計回りに４５度程度回転させて図８（ｃ）に示すように釣竿本体１の平面部１ａが上下に位置するようにして用いる場合とで、上述した理由からその調子が３通りに変えられる。
【００４０】
このように、第５の実施の形態では、上述した効果に加え、上記同様に、調子を３通りに変えることができるとした効果がある。
【００４１】
（第６の実施の形態）
図９は、本発明の断面多角形中空釣竿の第６の実施の形態を示す図である。
【００４２】
図９（ａ）〜（ｃ）に示す断面多角形中空釣竿の釣竿本体１は、図５と同様に断面八角形状となっているが、その中空２を釣竿本体１の長手方向の中心軸に対して偏芯させるようにしている。このような釣竿本体１は、上記同様に、外表面を八角形に研磨する際、中空２を偏芯させるように、釣竿本体１の外表面を研磨するようにする。
【００４３】
このような断面多角形中空釣竿は、次のような作用を有している。
【００４４】
つまり、図９（ａ）に示すように釣竿本体１の平面部１ａが上下に位置するようにして用いる場合と、図９（ａ）の状態から時計回りに２０度程度回転させて図９（ｂ）に示すように釣竿本体１の角部１ｂが上下に位置するようにして用いる場合と、図９（ｂ）の状態からさらに時計回りに２０度程度回転させて図９（ｃ）に示すように釣竿本体１の平面部１ａが上下に位置するようにして用いる場合とで、上述した理由からその調子が３通りに変えられる。
【００４５】
このように、第６の実施の形態では、上述した効果に加え、上記同様に、調子を３通りに変えることができるとした効果がある。
【００４６】
（第７の実施の形態）
図１０は、本発明の断面多角形中空釣竿の第７の実施の形態を示す図、図１１は、図１０の断面多角形中空釣竿の継ぎ方の詳細を説明するための図である。
【００４７】
図１０に示す断面多角形中空釣竿の釣竿本体１は、上記同様に、たとえば断面六角形状であり、さらに振出しによる継ぎ方となっており、複数の竿部１ｃ〜１ｆを有している。ここで、たとえば竿部１ｃの一端の継ぎ部２ａは、この継ぎ部２ａに継ぎ足される竿部１ｄの断面六角形状に合わせて加工されている。また、竿部１ｄの一端の継ぎ部２ａも同様に、竿部１ｅの断面六角形状に合わせて加工されている。竿部１ｅの一端の継ぎ部２ａも同様に、竿部１ｆの断面六角形状に合わせて加工されている。このような断面多角形中空釣竿は、振出しによるものであるため、竿部１ｄ〜１ｆが竿部１ｃに収容されるようになっている。使用の際には、竿部１ｄ〜１ｆを竿部１ｃから引出すことで、所定の長さまで延すことができる。
【００４８】
このように、第７の実施の形態では、継ぎ方が振出しによる場合であっても、上記同様の効果を得ることができる。また、継ぎ方が振出しによるものであるため、持運びや保管がさらに容易となる。
【００４９】
なお、第７の実施の形態では、釣竿本体１がたとえば断面六角形状である場合について説明したが、この例に限らず、上述した断面四角形状や断面八角形状のものでも適用可能である。また、中空２にあっては、上記同様に、釣竿本体１の長手方向の中心軸に対して偏芯させるようにしてもよい。
【００５０】
（第８の実施の形態）
図１２は、本発明の断面多角形中空釣竿の第８の実施の形態を示す図である。
【００５１】
図１２に示す断面多角形中空釣竿の釣竿本体１は、上記同様に、たとえば断面六角形状であり、複数の竿部１ｃ〜１ｆを有しているが、並み継ぎによる継ぎ方となっている。
【００５２】
ここで、たとえば竿部１ｃの一端の継ぎ部２ｂは、上記同様に、竿部１ｄの断面六角形状に合わせて加工されている。また、竿部１ｄの一端の継ぎ部２ｂも同様に、竿部１ｅの断面六角形状に合わせて加工されている。竿部１ｅの一端の継ぎ部２ｂも同様に、竿部１ｆの断面六角形状に合わせて加工されている。また、それぞれの継ぎ部２ｂの所定の深部には、ストッパー２ｃが設けられている。このような断面多角形中空釣竿は、並み継ぎによるものであるため、それぞれの竿部１ｃ〜１ｆを分離させることで、持運びや保管が容易となる。使用の際には、それぞれの継ぎ部２ｂに竿部１ｄ〜１ｆを継ぎ足すことで、所定の長さまで延すことができる。その際、それぞれの継ぎ部２ｂに設けられているストッパー２ｃにより、それぞれの竿部１ｄ〜１ｆの継ぎ位置が規制される。
【００５３】
このように、第８の実施の形態では、継ぎ方が並み継ぎによる場合であっても、上記同様の効果を得ることができる。また、継ぎ方が並み継ぎによるものであるため、持運びや保管が上記同様に容易となる。
【００５４】
なお、第８の実施の形態では、釣竿本体１がたとえば断面六角形状である場合について説明したが、この例に限らず、上述した断面四角形状や断面八角形状のものでも適用可能である。また、中空２にあっては、上記同様に、釣竿本体１の長手方向の中心軸に対して偏芯させるようにしてもよい。
【００５５】
また、以上の各実施の形態では、断面多角形中空釣竿として、四角形状、六角形状、八角形状について説明したが、これらの例に限らず、断面多角形中空釣竿を五角形状としてもよい。
【００５６】
【発明の効果】
以上の如く本発明に係る断面多角形中空釣竿によれば、カーボン素材からなる釣竿本体の基端から先端にかけて中空を設けるとともに、釣竿本体の断面を多角形状となるようにしたので、操作性を高めることができるとともに、持運びや保管の不便さを解消することができる。
【図面の簡単な説明】
【図１】本発明の断面多角形中空釣竿の第１の実施の形態を示す図である。
【図２】図１の断面多角形中空釣竿の作用を説明するための図である。
【図３】本発明の断面多角形中空釣竿の第２の実施の形態を示す図である。
【図４】図３の断面多角形中空釣竿の作用を説明するための図である。
【図５】本発明の断面多角形中空釣竿の第３の実施の形態を示す図である。
【図６】図５の断面多角形中空釣竿の作用を説明するための図である。
【図７】本発明の断面多角形中空釣竿の第４の実施の形態を示す図である。
【図８】本発明の断面多角形中空釣竿の第５の実施の形態を示す図である。
【図９】本発明の断面多角形中空釣竿の第６の実施の形態を示す図である。
【図１０】本発明の断面多角形中空釣竿の第７の実施の形態を示す図である。
【図１１】図１０の断面多角形中空釣竿の継ぎ方の詳細を説明するための図である。
【図１２】本発明の断面多角形中空釣竿の第８の実施の形態を示す図である。
【符号の説明】
１  釣竿本体
１ａ  平面部
１ｂ  角部
１ｃ〜１ｆ  竿部
２  中空
２ａ，２ｂ  継ぎ部
２ｃ  ストッパー
【図１】
0003687002.tif 000002
【図２】
0003687002.tif 000003
【図３】
0003687002.tif 000004
【図４】
0003687002.tif 000005
【図５】
0003687002.tif 000006
【図６】
0003687002.tif 000007
【図７】
0003687002.tif 000008
【図８】
0003687002.tif 000009
【図９】
0003687002.tif 000010
【図１０】
0003687002.tif 000011
【図１１】
0003687002.tif 000012
【図１２】
0003687002.tif 000013